(57)【要約】【課題】開閉方向に直交する方向におけるゲート全体の強度を補強することを可能とする。【解決手段】工場等の出入口ａに設置され、キャスター１を有するベース２上に立設された複数の支柱３を、パンタグラフ式のクロス格子４で連結し、上記ベース２を走行させて上記出入口ａを開閉する伸縮ゲートにおいて、上記支柱３の裏側に上記クロス格子４を介して平行な補助支柱５を立設し、補助支柱５の上記出入口ａの開閉方向に面する一側部に、金属パイプ２３の受け金具１７を、上記受け金具１７を上記開閉方向と開閉方向に直交する方向とに回動自在に取り付け、出入口ａ閉じ時には受け金具１７を開閉方向に直交する方向に向けて金属パイプ２３を受け金具１７に係合させる。【選択図】図３
2005098020.tif 000002
【特許請求の範囲】
【請求項１】
工場等の出入口に設置され、キャスターを有するベース上に立設された複数の支柱を、パンタグラフ式のクロス格子で連結し、上記ベースを走行させて上記出入口を開閉する伸縮ゲートにおいて、
上記支柱の裏側に上記クロス格子を介して平行な補助支柱を立設し、この補助支柱の上記出入口の開閉方向に面する一側部に、金属パイプの受け金具を、上記開閉方向と開閉方向に直交する方向とに回動自在に取り付け、出入口閉じ時には受け金具を開閉方向に直交する方向に向けて金属パイプを受け金具に係合させることを特徴とする伸縮ゲート。
【発明の詳細な説明】
【技術分野】
【０００１】
本発明は、工場等の出入口に設置される伸縮ゲートに関するものである。
【背景技術】
【０００２】
一般に、この種の伸縮ゲートは、キャスターを有するベース上に立設された複数の支柱を、パンタグラフ式のクロス格子で連結し、上記キャスターを走行させて上記出入口を開閉するものである。上記方式の伸縮ゲートは、開閉時にはクロス格子の角度が変わるだけで伸縮が行なわれ、クロス格子はアコーディオン式の折り畳み開閉ゲートのように開閉方向と直交する方向に移動することはないので、スペースを有効に利用することができるとともに、パネルを使わないから、軽量で操作も楽であるというメリットがある。
【０００３】
ところが、その反面、閉じ時にはクロス格子は開閉方向に直交する方向からの力には弱いという問題がある。
【０００４】
この改善策として、各支柱の裏側にＵ字形の金属パイプ用受け金具を固定しておき、閉じ時には受け金具に金属パイプを係合することにより、開閉方向に直交する方向に加えられた力に対してゲート全体の強度を補強することが行なわれていた。
【発明の開示】
【発明が解決しようとする課題】
【０００５】
しかしながら、このような方式では、出入口を開放して伸縮ゲートを縮小したときでも、受け金具がゲートの後方に出っ張るので、物を引っ掛けたり、受け金具を変形させたりする事故が多く、改善が求められていた。
【０００６】
本発明は上記問題点を解消し、出入り口閉じ時に開閉方向に直交する方向におけるゲート全体の強度を補強することができるとともに、出入口開放時には受け金具が出っ張らないようにする伸縮ゲートを提供することをその課題とする。
【課題を解決するための手段】
【０００７】
上記課題を解決するため、本発明に係る伸縮ゲートは、工場等の出入口に設置され、キャスターを有するベース上に立設された複数の支柱を、パンタグラフ式のクロス格子で連結し、上記ベースを走行させて上記出入口を開閉する伸縮ゲートにおいて、上記支柱の裏側に上記クロス格子を介して平行な補助支柱を立設し、この補助支柱の上記出入口の開閉方向に面する一側部に、金属パイプの受け金具を、上記開閉方向と開閉方向に直交する方向とに回動自在に取り付け、出入口閉じ時には受け金具を開閉方向に直交する方向に向けて金属パイプを受け金具に係合させることを特徴とする。
【発明の効果】
【０００８】
本発明によれば、出入口閉じ時には、受け金具を開閉方向に直交する方向に向けることにより、受け金具に金属パイプを係合させて開閉方向に直交する方向に加えられた力に対してゲート全体の強度を補強することができる。
【０００９】
これに対し、出入口開放時には、受け金具を開閉方向に向けるので、受け金具が出っ張ることがなく、コンパクトに収まるという利点がある。
【実施例】
【００１０】
図１は本発明に係る伸縮ゲートの正面図である。この伸縮ゲートは工場や倉庫等の敷地の出入口ａに設置されているもので、キャスター１を有するベース２上に立設された複数の支柱３とその間の支柱３ａを、パンタグラフ式のクロス格子４で連結し、上記ベース２を走行させて上記出入口ａを開閉するように構成されている。
【００１１】
すなわち、ベース２の上部には支柱３が固定され、ベース２の下部には１対のキャスター１が取り付けられ、またベース２の上部で、上記支柱３、３ａの裏側には、図２に示されるように、上記支柱３と平行な補助支柱５が固定されている。なお、両側の支柱３には開閉操作用の把手６が設けられている。
【００１２】
また、図３および図４に示されるように、支柱３、３ａと補助支柱５はアルミニウム等の金属型材から構成され、互いに対向する支柱３、３ａの後面と補助支柱５の前面にはスライドブロック７を摺動可能に案内する案内溝８が形成されている。また、補助支柱５の両側にはアリ溝９が長手方向に沿って形成されている。
【００１３】
次に、クロス格子４は複数の斜め格子４ａを交差させ、交差部分は軸１０で連結するとともに、支柱３、３ａの後部で交差する部分のうち下から２つ目の交差部分だけは、補助支柱５の上端と支柱３、３ａとの間に設けられた１本の固定軸１１に連結されている。それ以外の支柱３、３ａの裏側の軸１０ａは、案内溝８の内側に設けられたスライドブロック７に取り付けられている。これらの軸１０ａは、伸縮ゲートを伸縮させるとき、スライドブロック７とともに支柱３、３ａの案内溝８に沿って摺動する。
【００１４】
次に、補助支柱５の、上記出入口ａの開閉方向に面する一側部のアリ溝９の内側には、支持金具１２が固定されている。支持金具１２は鍔部１３と筒部１４とを備え、鍔部１３は上記アリ溝９に嵌合されて所定の位置に固定されている。筒部１４の上端の、上記開閉方向に面する一側部には係合溝１５が形成されているとともに、内部にはスリーブ１６を介して受け金具１７が嵌合している。
【００１５】
受け金具１７は、図５に示されるように、Ｕ字形のフック部１７ａと、その一側の上端からフック部１７ａから直角に離れるように形成された水平の腕部１７ｂと、腕部１７ｂの端部から垂直に下降するように延びた軸部１７ｃとから構成されている。軸部１７ｃの下端には雄ネジ１８が形成されている。上記受け金具１７は、軸部１７ｃを鍔部１３材の筒部１４にスリーブ１６を介して貫通し、その下端にはコイルバネ１９を介してナット２０がネジ止めされている。これにより、受け金具１７はコイルバネ１９によって常時下方に移動するように付勢されているとともに、フック部１７ａが上記出入口ａの開閉方向と開閉方向に直交する方向とに回動自在に取り付けられる。そして、ゲート伸長時にはフック部１７ａを軸部１７ｃを中心に回動させ、受け金具１７を腕部１７ｂを筒部１４の係合溝１５に係合させておけばよい。係合状態はコイルバネ１９によって保持される。上記伸縮ゲートの一方の端部の支柱３を出入口ａの同側の門２１（図１参照）に固定しておく。
【００１６】
ここで、上記受け金具１７の使用態様について説明する。出入口ａを閉じるときは、図１のように非固定側の端部の支柱３の把手６を持って出入口ａの他側の門２２に向けて引き、各ベース２を走行させて全体を横に伸長させればよい。このとき、支柱３の後面側の案内溝８に設けられたクロス格子４のスライドブロック７は、上記案内溝８に沿って摺動する。そして、出入口ａが閉じられたら、各補助支柱５の受け金具１７のフック部１７ａを持ち上げて、図３および図４に示されるように、出入口ａの開閉方向に直交する方向に回動させ、腕部１７ｂを筒部１４の係合溝１５に係合させる。このようにして並べられた複数のフック部１７ａに共通の金属製パイプ２３を係合させて出入口ａを閉鎖する。
【００１７】
これにより、各補助支柱５と支柱３が金属製パイプ２３によって直線上に並ぶように保持される。受け金具１７に金属パイプ２３を係合させて開閉方向に直交する方向に加えられた力に対してゲート全体の強度を補強することができる。金属パイプ２３の両端は両側の門に留めておくのが好ましい。
【００１８】
次に、出入口ａを開放するときは、受け金具１７から金属パイプ２３を外した後、図６に示されるように、フック部１７ａを軸部１７ｃを中心にして出入口ａの開閉方向に回動させるとともに、ベース２を走行させて伸縮ゲートを縮小させればよい。このとき、フック部１７ａは補助支柱５の後面に当接する状態になるので、受け金具１７が出っ張ることがなく、コンパクトに収まる。
【産業上の利用可能性】
【００１９】
必ずしも工場等の敷地に設置されるものに限定されない。住宅用の伸縮門扉にも適用できる。
【図面の簡単な説明】
【００２０】
【図１】本発明に係る伸縮ゲートの実施例の正面図である。
【図２】上記伸縮ゲートの側面図である。
【図３】支柱と補助支柱と閉じ時の受け金具を示す要部の横断面図である。
【図４】支持金具に対する受け金具の取り付け状態説明図である。
【図５】受け金具の斜視図である。
【図６】上記伸縮ゲートの開放時の受け金具の要部の横断面図である。
【符号の説明】
【００２１】
４  クロス格子    
５  補助支柱    
１７  受け金具    
２３  金属パイプ  
【図１】
2005098020.tif 000003
【図２】
2005098020.tif 000004
【図３】
2005098020.tif 000005
【図４】
2005098020.tif 000006
【図５】
2005098020.tif 000007
【図６】
2005098020.tif 000008